(57)【特許請求の範囲】
【請求項１】
検体を分析する検体分析装置、および、当該検体分析装置と通信ネットワークを介して接続された管理装置を備え、
前記管理装置は、
前記検体分析装置用のコンピュータプログラム、および、当該コンピュータプログラムのバージョンに対応し、検体分析の際の前記検体分析装置の取り扱い方法が記述された取扱説明書データを記憶する第１記憶部と、
前記検体分析装置との通信を行う第１通信部と、
前記第１記憶部に記憶されているコンピュータプログラムおよび当該コンピュータプログラムのバージョンに対応した取扱説明書データを、前記第１通信部を介して前記検体分析装置に送信する第１制御部と、を含み、
前記検体分析装置は、
前記第１通信部との通信を行い、当該第１通信部から送信されたコンピュータプログラムおよび取扱説明書データを受信する第２通信部と、
前記第２通信部が受信した複数のバージョンのコンピュータプログラムおよび前記複数のバージョンのコンピュータプログラムのそれぞれに対応した取扱説明書データを記憶する第２記憶部と、
前記第２記憶部に記憶された前記複数のバージョンのコンピュータプログラムから一のバージョンのコンピュータプログラムを選択して実行する第２制御部と、を含み、
前記第２記憶部は、前記一のバージョンのコンピュータプログラムが選択され実行された後も、他のバージョンのコンピュータプログラムを選択して実行可能なように、前記他のバージョンのコンピュータプログラムおよび前記他のバージョンのコンピュータプログラムに対応した前記取扱説明書データの記憶を維持する、
ことを特徴とする検体分析システム。
【請求項２】
請求項１に記載の検体分析システムにおいて、
前記検体分析装置の前記第２記憶部には、前記検体分析装置用の第１コンピュータプログラムが記憶されており、
前記管理装置の前記第１制御部は、前記第１コンピュータプログラムのバージョンよりも新しいバージョンの第２コンピュータプログラムを、前記第１通信部を介して前記検体分析装置に送信する場合には、当該第２コンピュータプログラムのバージョンに対応した取扱説明書データを、前記第１通信部を介して前記検体分析装置に送信する、
ことを特徴とする検体分析システム。
【請求項３】
請求項２に記載の検体分析システムにおいて、
前記検体分析装置の前記第２制御部は、前記第２記憶部に記憶されている前記第１コンピュータプログラムのバージョン情報を、前記第２通信部を介して、前記管理装置に送信し、
前記管理装置の前記第１制御部は、前記検体分析装置から前記第１通信部を介して受信した前記第１コンピュータプログラムのバージョン情報に基づいて、前記第１コンピュータプログラムより新しいバージョンの前記第２コンピュータプログラムが前記第１記憶部に記憶されているか否かを判断し、前記第２コンピュータプログラムが前記第１記憶部に記憶されている場合に、前記第２コンピュータプログラムおよび当該第２コンピュータプログラムのバージョンに対応した取扱説明書データを、前記第１通信部を介して、前記検体分析装置に送信する、
ことを特徴とする検体分析システム。
【請求項４】
請求項２または３に記載の検体分析システムにおいて、
前記検体分析装置の前記第２制御部は、前記第２コンピュータプログラムを実行可能な状態に設定する場合、前記第２記憶部に記憶されている前記第１コンピュータプログラムおよび当該第１コンピュータプログラムのバージョンに対応した取扱説明書データを保存する、
ことを特徴とする検体分析システム。
【請求項５】
請求項１ないし４の何れか一項に記載の検体分析システムにおいて、
前記検体分析装置の前記第２制御部は、前記管理装置から送信されたコンピュータプログラムを前記第２記憶部に格納し、当該第２記憶部に格納されたコンピュータプログラムを自動的に実行可能な状態に設定する、
ことを特徴とする検体分析システム。
【請求項６】
請求項５に記載の検体分析システムにおいて、
前記第２制御部は、前記検体分析装置の電源が投入されたときに、前記第２記憶部に格納された前記コンピュータプログラムを実行可能な状態に設定する、
ことを特徴とする検体分析システム。
【請求項７】
請求項１ないし６の何れか一項に記載の検体分析システムにおいて、
前記検体分析装置の前記第２制御部は、前記管理装置から送信されたコンピュータプログラムを実行可能な状態に設定する前に、前記検体分析装置に保存されている情報をバックアップする、
ことを特徴とする検体分析システム。
【請求項８】
請求項４ないし７の何れか一項に記載の検体分析システムにおいて、
前記検体分析装置の前記第２記憶部は、前記管理装置から送信されたコンピュータプログラムが格納される第１記憶領域と、前記第２制御部により実行されるコンピュータプログラムが格納される第２記憶領域とを含み、
前記第２制御部は、前記管理装置から送信されたコンピュータプログラムを前記第２記憶部の前記第１記憶領域から前記第２記憶領域に移すことで、前記コンピュータプログラムを実行可能な状態に設定する、
ことを特徴とする検体分析システム。
【請求項９】
請求項１ないし８の何れか一項に記載の検体分析システムにおいて、
前記管理装置の前記第１制御部は、一回の送信手順により、コンピュータプログラムおよび当該コンピュータプログラムのバージョンに対応した取扱説明書データを、前記第１通信部を介して、前記検体分析装置に送信する、
ことを特徴とする検体分析システム。
【請求項１０】
請求項１ないし９の何れか一項に記載の検体分析システムにおいて、
前記管理装置の前記第１記憶部に記憶されたコンピュータプログラムおよび当該コンピュータプログラムのバージョンに対応した取扱説明書データが前記管理装置から前記検体分析装置に自動的に送信されるか否かを設定する自動送信設定手段を備える、
ことを特徴とする検体分析システム。
【請求項１１】
請求項１ないし１０の何れか一項に記載の検体分析システムにおいて、
前記管理装置の前記第１記憶部は、一のバージョンのコンピュータプログラムに対応する取扱説明書データとして、第１の言語で記載された第１取扱説明書データおよび第２の言語で記載された第２取扱説明書データを記憶し、
前記管理装置の前記第１制御部は、前記検体分析装置における取扱説明書の言語の設定情報に基づいて、前記第１取扱説明書データまたは前記第２取扱説明書データを、前記第１通信部を介して前記検体分析装置に送信する、
ことを特徴とする検体分析システム。
【請求項１２】
請求項１１に記載の検体分析システムにおいて、
前記検体分析装置の前記第２制御部は、前記第２通信部を介して、前記言語の設定情報を前記管理装置に送信し、
前記管理装置の前記第１制御部は、前記検体分析装置から送信された前記言語の設定情報を、前記第１通信部を介して受信する、
ことを特徴とする検体分析システム。
【請求項１３】
請求項１２に記載の検体分析システムにおいて、
前記検体分析装置の前記第２記憶部には、前記検体分析装置用のコンピュータプログラムが記憶されており、
前記検体分析装置の第２制御部は、前記第２記憶部に記憶されているコンピュータプログラムのバージョン情報と対応付けて、前記言語の設定情報を、前記第２通信部を介して前記管理装置に送信する、
ことを特徴とする検体分析システム。
【請求項１４】
管理装置と通信ネットワークを介して接続された検体分析装置であって、
前記管理装置からコンピュータプログラム、および、当該コンピュータプログラムのバージョンに対応し、検体分析の際の前記検体分析装置の取り扱い方法が記述された取扱説明書データを受信する受信部と、
前記受信部により受信された複数のバージョンのコンピュータプログラムおよび前記複数のバージョンのコンピュータプログラムのそれぞれに対応した取扱説明書データを記憶する記憶部と、
前記記憶部に記憶された前記複数のバージョンのコンピュータプログラムから一のバージョンのコンピュータプログラムを選択して実行する制御部と、を備え、
前記記憶部は、前記一のバージョンのコンピュータプログラムが選択され実行された後も、他のバージョンのコンピュータプログラムを選択して実行可能なように、前記他のバージョンのコンピュータプログラムおよび前記他のバージョンのコンピュータプログラムに対応した前記取扱説明書データの記憶を維持する、
ことを特徴とする検体分析装置。
【請求項１５】
管理装置と通信ネットワークを介して接続された検体分析装置の制御方法であって、
前記管理装置から第１コンピュータプログラム、および、当該第１コンピュータプログラムのバージョンに対応し、検体分析の際の前記検体分析装置の取り扱い方法が記述された第１取扱説明書データを受信し、
受信した前記第１コンピュータプログラムおよび前記第１取扱説明書データを記憶し、
前記第１コンピュータプログラムよりも新しいバージョンの第２コンピュータプログラム、および、当該第２コンピュータプログラムのバージョンに対応し、検体分析の際の前記検体分析装置の取り扱い方法が記述された第２取扱説明書データを受信し、
受信した前記第２コンピュータプログラムおよび前記第２取扱説明書データを前記第１コンピュータプログラムおよび前記第１取扱説明書データを消去することなく記憶し、
記憶した複数のバージョンのコンピュータプログラムから一のバージョンのコンピュータプログラムを選択して実行する、
ことを特徴とする検体分析装置の制御方法。
【発明の詳細な説明】
【技術分野】
【０００１】
本発明は、検体を分析する検体分析装置、検体分析装置とネットワークを介して接続された管理装置、および、検体分析装置と管理装置を備える検体分析システムに関する。
【背景技術】
【０００２】
従来、通信ネットワークを介してサーバと通信可能に接続された検体分析装置が知られている。
【０００３】
たとえば、以下の特許文献１には、自動分析装置と通信ネットワークを介して通信可能に接続されたサーバが、自動分析装置から受信したコンピュータプログラムのバージョン情報に基づいてバージョンアップが必要なコンピュータプログラムを抽出し、この抽出したコンピュータプログラムを自動分析装置へ送信するシステムが開示されている。
【先行技術文献】
【特許文献】
【０００４】
【特許文献１】特開２００９−８５８８５号公報
【発明の概要】
【発明が解決しようとする課題】
【０００５】
上記のような検体分析装置が配置される検査室には、ユーザが検体分析装置を適切に使用できるように、検体分析装置を制御するコンピュータプログラムのバージョンに対応した取扱説明書を設置することが望まれている。しかしながら、上記特許文献１に記載のシステムでは、自動分析装置のコンピュータプログラムがバージョンアップされた場合には、バージョンアップ後のコンピュータプログラムに対応した取扱説明書をサービスマンが検査室に持参して設置する必要があり、サービスマンにかかる負担が重くなっていた。
【０００６】
本発明は、上記要求に鑑みてなされたものであり、検査室への取扱説明書の設置に関し、サービスマンの負担を軽減することが可能な検体分析システム、検体分析装置および検体分析装置の制御方法を提供することを目的とする。
【課題を解決するための手段】
【０００７】
本発明の第１の態様は、検体分析システムに関する。本態様に係る検体分析システムは、検体を分析する検体分析装置、および、当該検体分析装置と通信ネットワークを介して接続された管理装置を備える。ここで、前記管理装置は、前記検体分析装置用のコンピュータプログラム、および、当該コンピュータプログラムのバージョンに対応し、検体分析の際の前記検体分析装置の取り扱い方法が記述された取扱説明書データを記憶する第１記憶部と、前記検体分析装置との通信を行う第１通信部と、前記第１記憶部に記憶されているコンピュータプログラムおよび当該コンピュータプログラムのバージョンに対応した取扱説明書データを、前記第１通信部を介して前記検体分析装置に送信する第１制御部と、を含んでいる。前記検体分析装置は、前記第１通信部との通信を行い、当該第１通信部から送信されたコンピュータプログラムおよび取扱説明書データを受信する第２通信部と、前記第２通信部が受信した複数のバージョンのコンピュータプログラムおよび複数のバージョンのコンピュータプログラムのそれぞれに対応した取扱説明書データを記憶する第２記憶部と、前記第２記憶部に記憶された前記複数のバージョンのコンピュータプログラムから一のバージョンのコンピュータプログラムを選択して実行する第２制御部と、を含んでいる。前記第２記憶部は、前記一のバージョンのコンピュータプログラムが選択され実行された後も、他のバージョンのコンピュータプログラムを選択して実行可能なように、前記他のバージョンのコンピュータプログラムおよび前記他のバージョンのコンピュータプログラムに対応した前記取扱説明書データの記憶を維持する。
【０００８】
本態様に係る検体分析システムによれば、管理装置から、コンピュータプログラムおよび当該コンピュータプログラムのバージョンに対応した取扱説明書データが検体分析装置
に送信される。これにより、たとえば、コンピュータプログラムのバージョンアップを行う場合に、バージョンアップ後の取扱説明書をサービスマンが検体分析装置側に持参する必要がない。よって、検査室への取扱説明書の設置に関し、サービスマンの負担を軽減することが可能となる。
【０００９】
本態様に係る検体分析システムにおいて、前記検体分析装置の前記第２記憶部には、前記検体分析装置用の第１コンピュータプログラムが記憶されており、前記管理装置の前記第１制御部は、前記第１コンピュータプログラムのバージョンよりも新しいバージョンの第２コンピュータプログラムを、前記第１通信部を介して前記検体分析装置に送信する場合には、当該第２コンピュータプログラムのバージョンに対応した取扱説明書データを、前記第１通信部を介して前記検体分析装置に送信する構成とされ得る。こうすると、コンピュータプログラムのバージョンアップを行う場合に、新しいコンピュータプログラムのバージョンに対応した取扱説明書データを検体分析装置に届けることができ、サービスマンの負担を軽減することができる。
【００１０】
ここで、前記検体分析装置の前記第２制御部は、前記第２記憶部に記憶されている前記第１コンピュータプログラムのバージョン情報を、前記第２通信部を介して、前記管理装置に送信し、前記管理装置の前記第１制御部は、前記検体分析装置から前記第１通信部を介して受信した前記第１コンピュータプログラムのバージョン情報に基づいて、前記第１コンピュータプログラムより新しいバージョンの前記第２コンピュータプログラムが前記第１記憶部に記憶されているか否かを判断し、前記第２コンピュータプログラムが前記第１記憶部に記憶されている場合に、前記第２コンピュータプログラムおよび当該第２コンピュータプログラムのバージョンに対応した取扱説明書データを、前記第１通信部を介して、前記検体分析装置に送信する構成とされ得る。こうすると、管理装置は、バージョンが新しいコンピュータプログラムおよびそのバージョンに対応した取扱説明書データのみを検体分析装置に送信するため、通信負荷・通信時間等を削減することができる。
【００１１】
また、前記検体分析装置の前記第２制御部は、前記第２コンピュータプログラムを実行可能な状態に設定する場合、前記第２記憶部に記憶されている前記第１コンピュータプログラムおよび当該第１コンピュータプログラムのバージョンに対応した取扱説明書データを保存する構成とされ得る。こうすると、新しいバージョンのコンピュータプログラムが実行可能な状態に設定された後に、再度、古いバージョンのコンピュータプログラムを容易に実行可能な状態に設定することができる。また、その場合に、古いバージョンに対応する取扱説明書データを参照して円滑に検体分析動作を行うことができる。
【００１２】
また、本態様に係る検体分析システムにおいて、前記検体分析装置の前記第２制御部は、前記管理装置から送信されたコンピュータプログラムを前記第２記憶部に格納し、当該第２記憶部に格納されたコンピュータプログラムを自動的に実行可能な状態に設定する構成とされ得る。こうすると、ユーザの手を介することなく、管理装置から受け取ったコンピュータプログラムを検体分析装置上で実行可能な状態に設定することができる。
【００１３】
ここで、前記第２制御部は、前記検体分析装置の電源が投入されたときに、前記第２記憶部に格納された前記コンピュータプログラムを実行可能な状態に設定する構成とされ得る。こうすると、検体分析装置の電源が投入された時に自動的にコンピュータプログラムが実行可能な状態に設定されるため、新しく実行可能な状態に設定されたコンピュータプログラムで検体の分析を行なうことができる。また、検体分析装置の電源投入時以外には新たにコンピュータプログラムが検体分析装置に実行可能な状態に設定されないため、例えば分析動作の途中で、コンピュータプログラムの変更により分析条件が変更されることを防止することができる。
【００１４】
また、本態様に係る検体分析システムにおいて、前記検体分析装置の前記第２制御部は、前記管理装置から送信されたコンピュータプログラムを実行可能な状態に設定する前に、前記検体分析装置に保存されている情報をバックアップする構成とされ得る。こうすると、新しいバージョンのコンピュータプログラムを実行可能な状態に設定する際に不具合が発生した場合でも、検体分析装置を、バックアップされた状態に戻すことが容易となる。なお、バックアップされる情報は、コンピュータプログラムや取扱説明書データの他、検体分析装置に保存されている一切の情報を含むものである。
【００１５】
また、本態様に係る検体分析システムにおいて、前記検体分析装置の前記第２記憶部は、前記管理装置から送信されたコンピュータプログラムが格納される第１記憶領域と、前記第２制御部により実行されるコンピュータプログラムが格納される第２記憶領域とを含み、前記第２制御部は、前記管理装置から送信されたコンピュータプログラムを前記第２記憶部の前記第１記憶領域から前記第２記憶領域に移すことで、前記コンピュータプログラムを実行可能な状態に設定する構成とされ得る。こうすると、新しいバージョンのコンピュータプログラムを、円滑に実行可能な状態とすることができる。
【００１６】
また、本態様に係る検体分析システムにおいて、前記管理装置の前記第１制御部は、一回の送信手順により、コンピュータプログラムおよび当該コンピュータプログラムのバージョンに対応した取扱説明書データを、前記第１通信部を介して、前記検体分析装置に送信する構成とされ得る。こうすると、コンピュータプログラムとそのコンピュータプログラム用の取扱説明書データとを同じタイミングで受信することができるため、検体分析装置はそれらを対応付けて管理することが容易となる。
【００１７】
また、本態様に係る検体分析システムにおいて、前記管理装置の前記第１記憶部に記憶されたコンピュータプログラムおよび当該コンピュータプログラムのバージョンに対応した取扱説明書データが前記管理装置から前記検体分析装置に自動的に送信されるか否かを設定する自動送信設定手段を備える構成とされ得る。こうすると、ユーザの都合に合わせて、コンピュータプログラムおよび取扱説明書データのダウンロードの時期を決定することができる。これにより、たとえば、コンピュータプログラムの種類によっては、新しいバージョンのコンピュータプログラムを使用せず、ユーザが慣れているバージョンのコンピュータプログラムの使用を継続することも可能となる。
【００１８】
また、本態様に係る検体分析システムにおいて、前記管理装置の前記第１記憶部は、一のバージョンのコンピュータプログラムに対応する取扱説明書データとして、第１の言語で記載された第１取扱説明書データおよび第２の言語で記載された第２取扱説明書データを記憶し、前記管理装置の前記第１制御部は、前記検体分析装置における取扱説明書の言語の設定情報に基づいて、前記第１取扱説明書データまたは前記第２取扱説明書データを、前記第１通信部を介して前記検体分析装置に送信する構成とされ得る。こうすると、検体分析装置のユーザが用いる言語で記載された取扱説明書データを送付することができる。
【００１９】
ここで、前記検体分析装置の前記第２制御部は、前記第２通信部を介して、前記言語の設定情報を前記管理装置に送信し、前記管理装置の前記第１制御部は、前記検体分析装置から送信された前記言語の設定情報を、前記第１通信部を介して受信する構成とされ得る。
【００２０】
また、前記検体分析装置の前記第２記憶部には、前記検体分析装置用のコンピュータプログラムが記憶されており、前記検体分析装置の第２制御部は、前記第２記憶部に記憶されているコンピュータプログラムのバージョン情報と対応付けて、前記言語の設定情報を、前記第２通信部を介して前記管理装置に送信する構成とされ得る。
【００２１】
本発明の第２の態様は、管理装置と通信ネットワークを介して接続された検体分析装置に関する。本態様に係る検体分析装置は、前記管理装置からコンピュータプログラム、および、当該コンピュータプログラムのバージョンに対応し、検体分析の際の前記検体分析装置の取り扱い方法が記述された取扱説明書データを受信する受信部と、前記受信部により受信された複数のバージョンのコンピュータプログラムおよび前記複数のバージョンのコンピュータプログラムのそれぞれに対応した取扱説明書データを記憶する記憶部と、前記記憶部に記憶された前記複数のバージョンのコンピュータプログラムから一のバージョンのコンピュータプログラムを選択して実行する制御部と、を備える。前記記憶部は、前記一のバージョンのコンピュータプログラムが選択され実行された後も、他のバージョンのコンピュータプログラムを選択して実行可能なように、前記他のバージョンのコンピュータプログラムおよび前記他のバージョンのコンピュータプログラムに対応した前記取扱説明書データの記憶を維持する。
【００２２】
本態様に係る検体分析装置によれば、上記第１の態様と同様の効果が奏され得る。
【００２３】
本発明の第３の態様は、管理装置と通信ネットワークを介して接続された検体分析装置の制御方法に関する。本態様に係る検体分析装置の制御方法は、前記管理装置から第１コンピュータプログラム、および、当該第１コンピュータプログラムのバージョンに対応し、検体分析の際の前記検体分析装置の取り扱い方法が記述された第１取扱説明書データを受信し、受信した前記第１コンピュータプログラムおよび前記第１取扱説明書データを記憶し、前記第１コンピュータプログラムよりも新しいバージョンの第２コンピュータプログラム、および、当該第２コンピュータプログラムのバージョンに対応し、検体分析の際の前記検体分析装置の取り扱い方法が記述された第２取扱説明書データを受信し、受信した前記第２コンピュータプログラムおよび前記第２取扱説明書データを前記第１コンピュータプログラムおよび前記第１取扱説明書データを消去することなく記憶し、記憶した複数のバージョンのコンピュータプログラムから一のバージョンのコンピュータプログラムを選択して実行する。
【００２４】
本態様に係る検体分析装置の制御方法によれば、上記第１の態様と同様の効果が奏され得る。
【発明の効果】
【００２５】
以上のとおり、本発明によれば、検査室への取扱説明書の設置に関し、サービスマンの負担を軽減することが可能な検体分析システム、検体分析装置および管理装置を提供することができる。
【００２６】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２７】
【図１】実施の形態に係る検体分析システムの構成を示す図である。
【図２】実施の形態に係る管理装置の構成を示す図である。
【図３】実施の形態に係る情報処理装置の構成を示す図である。
【図４】実施の形態に係る分析装置の構成を示す図である。
【図５】実施の形態に係るファイル情報を概念的に示す例示図である。
【図６】実施の形態に係る設定情報を概念的に示す例示図および設定情報を設定するための設定画面を示す図である。
【図７】実施の形態に係る分析装置情報を概念的に示す例示図である。
【図８】実施の形態に係る情報処理装置による更新処理を示すフローチャートである。
【図９】実施の形態に係る使用指示画面を示す図および格納情報を概念的に示す例示図である。
【図１０】実施の形態に係る設定情報の一部を概念的に示す例示図、検索結果を概念的に示す例示図、ダウンロード要求の内容を概念的に示す例示図、および、分析装置情報の状態を概念的に示す例示図である。
【図１１】実施の形態に係る検索依頼を受信した場合およびダウンロード要求を受信した場合の管理装置による処理を示すフローチャートである。
【図１２】実施の形態の変更例に係るバックアップ処理を示すフローチャートおよび記録媒体確認画面を示す図である。
【発明を実施するための形態】
【００２８】
本実施の形態は、血液に関する検査および分析を行うための検体分析システムに本発明を適用したものである。本実施の形態に係る検体分析システムは、１台の情報処理装置と、３台の分析装置からなる検体分析装置を備えている。３台の分析装置では血液分析が並行して行われ、測定結果が情報処理装置に送信される。
【００２９】
以下、本実施の形態に係る検体分析システムについて、図面を参照して説明する。
【００３０】
図１は、検体分析システム１の構成を示す図である。本実施の形態に係る検体分析システム１は、図示の如く、管理装置２と検体分析装置３から構成されている。管理装置２と検体分析装置３とは、インターネットまたは専用線により構築されたネットワーク４を介して、通信可能に接続されている。
【００３１】
検体分析装置３は、情報処理装置３１と、分析装置３２〜３４を備えている。情報処理装置３１は、分析装置３２〜３４と、それぞれ通信可能に接続されている。情報処理装置３１は、分析装置３２〜３４を制御すると共に、分析装置３２〜３４から検体の測定結果を受信する。情報処理装置３１の電源が投入されると、分析装置３２〜３４は起動状態となる。
【００３２】
図２は、管理装置２の構成を示す図である。
【００３３】
管理装置２は、本体２００と、入力部２１０と、表示部２２０から構成されている。本体２００は、ＣＰＵ２０１と、ＲＯＭ２０２と、ＲＡＭ２０３と、ハードディスク２０４と、Ｒ／Ｗ装置２０５と、入出力インターフェース２０６と、画像出力インターフェース２０７と、通信インターフェース２０８を有する。
【００３４】
ＣＰＵ２０１は、ＲＯＭ２０２に記憶されているコンピュータプログラムおよびＲＡＭ２０３にロードされたコンピュータプログラムを実行する。ＲＡＭ２０３は、ＲＯＭ２０２およびハードディスク２０４に記録されているコンピュータプログラムの読み出しに用いられる。また、ＲＡＭ２０３は、これらのコンピュータプログラムを実行するときに、ＣＰＵ２０１の作業領域としても利用される。
【００３５】
ハードディスク２０４には、オペレーティングシステムおよびアプリケーションプログラムなど、ＣＰＵ２０１に実行させるための種々のコンピュータプログラムおよびコンピュータプログラムの実行に用いるデータが格納されている。また、ハードディスク２０４には、情報処理装置３１で実行されるコンピュータプログラムと、このコンピュータプログラムに対応した取扱説明書データ（以下、「電子マニュアル」という）とを含む情報（以下、「ファイル情報」という）が格納されている。ファイル情報については、追って、図５を参照して説明する。また、電子マニュアルについても後述する。
【００３６】
Ｒ／Ｗ装置２０５は、フロッピー（登録商標）ディスクドライブ、ＣＤドライブまたはＤＶＤドライブ等によって構成されており、記録媒体に記録されたコンピュータプログラムおよびデータを読み出すことができ、また、これらの記録媒体にコンピュータプログラムやデータを書き込むことができる。
【００３７】
入出力インターフェース２０６には、マウスやキーボードからなる入力部２１０が接続されている。画像出力インターフェース２０７は、ディスプレイ等で構成された表示部２２０に接続されており、画像データに応じた映像信号を、表示部２２０に出力する。表示部２２０は、入力された映像信号をもとに画像を表示する。通信インターフェース２０８は、ネットワーク４に接続されている。これにより、管理装置２と検体分析装置３とのデ
ータの送受信が可能となっている。
【００３８】
図３は、情報処理装置３１の構成を示す図である。
【００３９】
情報処理装置３１は、管理装置２と同様の構成となっており、本体３００と、入力部３１０と、表示部３２０から構成されている。本体３００は、ＣＰＵ３０１と、ＲＯＭ３０２と、ＲＡＭ３０３と、ハードディスク３０４と、Ｒ／Ｗ装置３０５と、入出力インターフェース３０６と、画像出力インターフェース３０７と、通信インターフェース３０８を有する。
【００４０】
情報処理装置３１のハードディスク３０４には、オペレーティングシステムおよびアプリケーションプログラムなど、ＣＰＵ３０１に実行させるための種々のコンピュータプログラムおよびコンピュータプログラムの実行に用いるデータが格納されている。
【００４１】
また、ハードディスク３０４には、情報処理装置３１についての設定に関する情報（以下、「設定情報」という）が格納されている。また、ハードディスク３０４には、分析装置３２〜３４を制御するためのコンピュータプログラムと、このコンピュータプログラムに対応した電子マニュアル等とを含む情報（以下、「分析装置情報」という）が格納されている。また、ハードディスク３０４には、分析装置３２〜３４を制御するために過去に使用していたコンピュータプログラムと、このコンピュータプログラムに対応した電子マニュアル等とを含む情報（以下、「格納情報」という）が格納されている。設定情報と、分析装置情報と、格納情報については、追って、図６（ａ）と、図７（ａ）、（ｂ）と、図９（ｂ）を参照して説明する。
【００４２】
なお、ハードディスク３０４以外の構成については、管理装置２と同様であるため、ここでは説明を省略する。
【００４３】
図４は、分析装置３２の構成を示す図である。なお、分析装置３２〜３４は略同じ構成であるため、便宜上、分析装置３２の構成のみを説明することにする。
【００４４】
分析装置３２は、通信インターフェース４０１と、センサ部４０２と、駆動部４０３と、試料調製部４０４と、検出部４０５から構成されている。
【００４５】
通信インターフェース４０１は、情報処理装置３１の通信インターフェース３０８との間でデータ通信を行う。センサ部４０２は、分析装置３２内に設置されたセンサを含んでいる。駆動部４０３は、分析装置３２内の各部を駆動させるための機構を含んでいる。試料調製部４０４は、検体と試薬から測定用の試料を調製する。検出部４０５は、試料調製部４０４により調製された試料を測定する。
【００４６】
センサ部４０２と、駆動部４０３と、試料調製部４０４と、検出部４０５は、通信インターフェース４０１を介して、情報処理装置３１のＣＰＵ３０１によって制御される。また、センサ部４０２の検出信号と、検出部４０５による測定結果は、通信インターフェース４０１を介して、情報処理装置３１に送信される。
【００４７】
図５は、管理装置２のハードディスク２０４に格納されているファイル情報を概念的に示す例示図である。
【００４８】
ファイル情報は、ＰＳコードの種類と、バージョンと、地域と、プログラムと、言語と、取扱説明書の項目を有している。
【００４９】
ＰＳコードの種類の項目には、分析装置のＰＳコードの種類が記憶される。すなわち、分析装置には、種類を示すＰＳコード（たとえば、“A0000001”や“B0000004”など）が付されており、ＰＳコードの種類の項目には、このようなＰＳコードの種類（たとえば、“ＰＳコードＡ系”や“ＰＳコードＢ系”）が記憶される。
【００５０】
バージョンの項目には、プログラムの項目のコンピュータプログラム（以下、「プログラム」という）のバージョンと、取扱説明書の項目の電子マニュアルのバージョンが記憶される。地域の項目には、プログラムの項目のプログラムが使用される地域が記憶される。プログラムの項目には、情報処理装置３１上で実行され、分析装置の制御に用いられるプログラム（データ）が記憶される。各プログラムは、地域の項目の国名に対応して記憶されている。言語の項目には、取扱説明書の項目の電子マニュアルに使用されている言語が記憶される。取扱説明書の項目には、対応するバージョンのプログラムについての電子マニュアルが記憶される。
【００５１】
なお、本実施の形態の電子マニュアルには、情報処理装置３１上で実行され、分析装置の制御に用いられるプログラムの取り扱い方法、すなわち、当該プログラムに基づく検体分析装置３の取り扱い方法が記載されている。この電子マニュアルは、冊子形式の取扱説明書と同様にページ順に分析装置の取り扱い方法が記載されたＰＤＦファイルであり、章、節、項といった段落ごとに記載がなされている。ユーザは、たとえば、プログラムの操作がわからない場合に、この電子マニュアルの該当箇所を参照する。なお、この電子マニュアルは、プログラムの一部に組み込まれているものではなく、プログラムとは別のデータファイルである。ユーザは、この電子マニュアルをプリントアウトすることによって冊子形式の取扱説明書を作成することも可能である。
【００５２】
ここで、図５に例示されているファイル情報には、ＰＳコードがＡ系の分析装置の制御に用いる全てのバージョン（１〜３）のプログラムが記憶されている。これらのプログラムは、バージョンの数字が大きいほど新しいプログラムである。すなわち、図５の例では、バージョン３のプログラムが最も新しく、バージョン１が最も古い。各バージョンのプログラムは、それぞれ、日本、アメリカ等の地域に対応して用意されている。また、各バージョンのプログラムに対応して、それぞれ、複数の言語で記された電子マニュアルが記憶されている。なお、ファイル情報には、ＰＳコードがＡ系の分析装置に関する情報と同様に、ＰＳコードがＡ系以外の分析装置の制御に用いるための情報も記憶されている。
【００５３】
なお、管理装置２のファイル情報に記憶されているプログラムと電子マニュアル等は、管理装置２と情報処理装置３１との間の通信により、後述の如く、適宜、情報処理装置３１に送信される。
【００５４】
図６（ａ）は、情報処理装置３１のハードディスク３０４に格納されている設定情報を概念的に示す例示図である。
【００５５】
設定情報は、ログインＩＤと、パスワードと、国名と、言語と、ダウンロード対象と、ダウンロード設定の項目を有している。
【００５６】
ログインＩＤとパスワードの項目には、情報処理装置３１が管理装置２にアクセスする際に用いる文字列が記憶される。国名と言語の項目には、それぞれ、情報処理装置３１を含む検体分析装置３が設置されている国名と使用される言語が記憶される。ダウンロード対象の項目には、管理装置２からダウンロードするファイルの種類が記憶される。本実施の形態のダウンロード対象の項目は、“プログラム”と“取扱説明書”に固定されている。
【００５７】
ダウンロード設定の項目には、管理装置２からのダウンロードを自動的に行うか手動で行うかが記憶される。図６（ａ）に示す如く設定情報が設定されている場合、情報処理装置３１は、管理装置２から、分析装置を制御するためのプログラムと、このプログラムに対応する電子マニュアルとを、自動的にダウンロードすることになる。
【００５８】
図６（ｂ）は、情報処理装置３１の表示部３２０に表示される、設定情報を設定するための設定画面５１０を示す図である。
【００５９】
設定画面５１０は、自動ダウンロード設定領域５１１と、本体情報設定領域５１２と、ＯＫボタン５１３と、キャンセルボタン５１４を備えている。
【００６０】
自動ダウンロード設定領域５１１は、“自動”と“手動”を択一的に選択可能なボタンを有している。ユーザにより何れかのボタンが押下されると、押下されたボタンが選択状態となる。
【００６１】
本体情報設定領域５１２は、選択リスト５１２ａ、５１２ｂと、入力エリア５１２ｃ、５１２ｄを有している。ユーザは、選択リスト５１２ａ、５１２ｂから、それぞれ国名と言語を選択することができ、入力エリア５１２ｃ、５１２ｄに、それぞれ、ユーザＩＤとパスワードを入力することができる。
【００６２】
ユーザによりＯＫボタン５１３が押下されると、自動ダウンロード設定領域５１１と本体情報設定領域５１２に設定された内容が、情報処理装置３１の設定情報に上書きされる。また、ユーザによりキャンセルボタン５１４が押下されると、設定画面５１０上で新たに設定された内容が破棄される。
【００６３】
図７（ａ）は、情報処理装置３１のハードディスク３０４に格納されている分析装置情報を概念的に示す例示図である。
【００６４】
分析装置情報は、分析装置と、ＰＳコードと、シリアル番号と、装置名称と、実行バージョンと、待機バージョンの項目を有している。実行バージョンと待機バージョンの項目は、いずれも、プログラムのバージョンと、プログラムと、取扱説明書の項目を有している。
【００６５】
分析装置と、ＰＳコードと、シリアル番号と、装置名称の項目には、それぞれ、情報処理装置３１に接続された分析装置の識別番号（配置順）と、ＰＳコードと、シリアル番号と、装置名称が記載される。これらの項目は、情報処理装置３１に分析装置が接続されたときに、あらかじめ、この分析装置情報に設定される。なお、ＰＳコードは、上述したように分析装置の種類を示すコードであり、シリアル番号は、ＰＳコード内での製造番号に対応する番号である。
【００６６】
実行バージョンの項目には、現在使用されているプログラムのバージョンと、現在使用されているプログラムと、現在使用されている電子マニュアルが記憶される。すなわち、図７（ａ）に示す如く分析装置情報が設定されている場合、情報処理装置３１は、現在、１台目と２台目の分析装置を駆動する際に、ＰＳコードがＡ系で、バージョンが２であるプログラムを使用する。また、このプログラムに対応する電子マニュアルが、ユーザにより閲覧可能となる。同様に、情報処理装置３１は、現在、３台目の分析装置を駆動する際に、ＰＳコードがＢ系で、バージョンが２であるプログラムを使用する。また、このプログラムに対応する電子マニュアルが、ユーザにより閲覧可能となる。なお、情報処理装置３１の表示部３２０に電子マニュアルが表示されると、ユーザはその電子マニュアルをスクロールすることにより、表示される箇所を変更することが可能である。
【００６７】
待機バージョンの項目には、管理装置２からダウンロードされたプログラムのバージョンと、管理装置２からダウンロードされたプログラムと、管理装置２からダウンロードされた電子マニュアルが記憶される。図７（ａ）では、待機バージョンの項目は、空白となっている。
【００６８】
分析装置情報が図７（ａ）に示す状態から、情報処理装置３１により、管理装置２からプログラムと電子マニュアル等がダウンロードされると、分析装置情報は、図７（ｂ）に示す状態となる。すなわち、図７（ｂ）の破線部分に示す如く、１台目と２台目の分析装置を駆動するための、バージョンが３であるプログラムが、待機バージョンの項目のプログラムの項目に記憶される。また、このプログラムに対応する電子マニュアルが、待機バージョンの項目の取扱説明書の項目に記憶される。なお、ここでは、３台目の分析装置を駆動するための新しいプログラムは、ダウンロードされていない。この場合、図示の如く、３台目の分析装置に対応する待機バージョンの項目の各項目は、空白のままとなる。
【００６９】
図８は、情報処理装置３１による更新処理を示すフローチャートである。
【００７０】
情報処理装置３１のＣＰＵ３０１は、ユーザにより電源投入の指示を受け付けると（Ｓ１１：ＹＥＳ）、分析装置情報の待機バージョンのチェックを行う（Ｓ１２）。続いて、ＣＰＵ３０１は、待機バージョンの有無を判定する（Ｓ１３）。すなわち、分析装置情報の待機バージョンの全ての項目が、図７（ａ）に示すように空白であると、ＣＰＵ３０１は待機バージョンなしと判定し、分析位置情報の待機バージョンの項目が、図７（ｂ）に示すように空白でないと、ＣＰＵ３０１は待機バージョンありと判定する。
【００７１】
ＣＰＵ３０１は、待機バージョンありと判定すると（Ｓ１３：ＹＥＳ）、表示部３２０に使用指示画面５２０を表示して、ユーザにより待機バージョンを使用する指示が行われたかを判定する（Ｓ１４）。他方、ＣＰＵ３０１により、待機バージョンなしと判定されると（Ｓ１３：ＮＯ）、処理がＳ１６に進められる。
【００７２】
図９（ａ）は、情報処理装置３１の表示部３２０に表示される使用指示画面５２０を示す図である。
【００７３】
使用指示画面５２０は、ＯＫボタン５２１とキャンセルボタン５２２を備えている。ユーザによりＯＫボタン５２１が押下されると、待機バージョンを使用する指示が、情報処理装置３１のＣＰＵ３０１に送信される。また、ユーザによりキャンセルボタン５２２が押下されると、待機バージョンを使用しない指示が、情報処理装置３１のＣＰＵ３０１に送信される。
【００７４】
図８に戻り、情報処理装置３１のＣＰＵ３０１は、使用指示画面５２０のＯＫボタン５２１が押下されたことにより、使用指示を受け付けると（Ｓ１４：ＹＥＳ）、待機バージョンのプログラム等を使用可能状態にする（Ｓ１５）。すなわち、ＣＰＵ３０１は、まず、実行バージョンの各項目のプログラム等を、後述する格納情報（図９（ｂ）参照）の格納バージョンの対応する項目に追加する。その後、ＣＰＵ３０１は、待機バージョンの各項目のプログラム等を、分析装置情報の実行バージョンの対応する項目に上書きする。他方、ＣＰＵ３０１は、使用指示画面５２０のキャンセルボタン５２２が押下されたことにより、待機バージョンのプログラム等を使用しない指示を受け付けると、（Ｓ１４：ＮＯ）、処理がＳ１６に進められる。
【００７５】
図９（ｂ）は、情報処理装置３１のハードディスク３０４に格納されている格納情報を概念的に示す例示図である。
【００７６】
格納情報は、ＰＳコードと、シリアル番号と、装置名称と、格納バージョンの項目を有している。格納バージョンの項目は、プログラムのバージョンと、プログラムと、取扱説明書の項目を有している。なお、格納情報のＰＳコードと、シリアル番号と、装置名称と、プログラムのバージョンと、プログラムと、取扱説明書の項目は、分析装置情報と同様である。
【００７７】
格納情報の格納バージョンの項目には、図示の如く、過去に分析装置情報の実行バージョンの項目に記憶されていた全てのプログラム等が記憶されている。図８のＳ１５の処理において、格納情報に実行バージョンの項目のプログラム等が追加される際には、ＰＳコードと、シリアル番号と、装置名称とが一致する領域に、実行バージョンの項目のプログラムのバージョンと、プログラムと、電子マニュアルが記憶される。これにより、たとえば、実行バージョンの項目のプログラムに不具合があるような場合でも、適宜、格納バージョンに記憶されているバージョンのプログラムを使用可能状態に復帰させることが可能となる。
【００７８】
図８に戻り、情報処理装置３１のＣＰＵ３０１は、分析装置情報の実行バージョンの項目の各プログラムを起動する（Ｓ１６）。これにより、情報処理装置３１により、分析装置３２〜３４が駆動され、分析装置３２〜３４による測定動作が開始される。なお、分析装置３２〜３４の測定動作は、以下のＳ１７〜Ｓ２５の処理と並行して行われる。
【００７９】
続いて、ＣＰＵ３０１は、設定情報の自動ダウンロードの項目が、自動に設定されているかを判定する（Ｓ１７）。自動ダウンロードの項目が手動に設定されていると（Ｓ１７：ＮＯ）、処理がＳ２６に進められ、情報処理装置３１がシャットダウンされるまで、測定等の処理が継続される（Ｓ２６）。他方、自動ダウンロードの項目が自動に設定されていると（Ｓ１７：ＹＥＳ）、ＣＰＵ３０１は、更新バージョンの検索依頼を管理装置２に送信する（Ｓ１８）。
【００８０】
ここで、情報処理装置３１から管理装置２に送信される検索依頼は、図１０（ａ）に示す情報と、図７（ａ）または（ｂ）に示した分析装置情報を含んでいる。なお、図１０（ａ）の情報は、図６（ａ）の設定情報からダウンロード設定を除いた項目からなっている。
【００８１】
図１１（ａ）は、情報処理装置３１から更新バージョンの検索依頼を受信した場合の、管理装置２による処理を示すフローチャートである。
【００８２】
管理装置２のＣＰＵ２０１は、情報処理装置３１から検索依頼を受信すると（Ｓ１０１：ＹＥＳ）、検索依頼の内容に基づいてファイル情報を検索する（Ｓ１０２）。具体的には、ＣＰＵ２０１は、検索依頼の内容に含まれるＰＳコードの項目に一致するファイル情報のバージョンの項目に、検索依頼に含まれる実行バージョンと待機バージョンよりも新しいバージョンがあるかを検索する。
【００８３】
新しいバージョンのプログラム等があると（Ｓ１０３：ＹＥＳ）、図１０（ｂ）に示す検索結果のダウンロードリストの項目に、検索により見つかったプログラムのバージョンと、電子マニュアルのバージョンとをセットする（Ｓ１０４）。なお、プログラムのバージョンと、電子マニュアルのバージョンの替わりに、プログラムのファイル名と、電子マニュアルのファイル名がセットされるようにしても良い。続いて、ＣＰＵ２０１は、図１０（ｂ）に示すような検索結果を、情報処理装置３１に送信する（Ｓ１０６）。
【００８４】
他方、新しいバージョンのプログラム等がないと（Ｓ１０３：ＮＯ）、検索結果のダウ
ンロード項目に空白をセットする（Ｓ１０５）。続いて、ＣＰＵ２０１は、図１０（ｂ）においてダウンロード項目が空白となった検索結果を、情報処理装置３１に送信する（Ｓ１０６）。
【００８５】
なお、情報処理装置３１が新規に設置された場合には、管理装置２が受信する検索依頼に含まれる実行バージョンと待機バージョンの項目は全て空白となっている。この場合、ＣＰＵ２０１は、ファイル情報の中から最も新しいプログラムのバージョンを情報処理装置３１に送信する。
【００８６】
図８に戻り、情報処理装置３１のＣＰＵ３０１は、管理装置２から検索結果を受信すると（Ｓ１９：ＹＥＳ）、受信した検索結果に基づいて、分析装置のプログラムに更新情報があるかを判定する（Ｓ２０）。すなわち、受信した検索結果のダウンロード項目が全て空白であった場合、更新情報なしとなり（Ｓ２０：ＮＯ）、処理がＳ２６に進められる。他方、受信した検索結果のダウンロード項目が全て空白でないと、更新情報ありとなり（Ｓ２０：ＹＥＳ）、処理がＳ２１に進められる。
【００８７】
更新情報がありの場合、ＣＰＵ３０１は、図１０（ａ）に示すような設定情報の一部と、Ｓ１９で受信した検索結果とを含むダウンロード要求を、管理装置２に送信する（Ｓ２１）。
【００８８】
図１１（ｂ）は、情報処理装置３１からダウンロード要求を受信した場合の、管理装置２による処理を示すフローチャートである。
【００８９】
管理装置２のＣＰＵ２０１は、情報処理装置３１からダウンロード要求を受信すると（Ｓ２０１：ＹＥＳ）、ダウンロード要求の内容に基づいてファイルを送信する（Ｓ２０２）。すなわち、ダウンロード要求に含まれるダウンロードリストの項目のプログラムのバージョンと、電子マニュアルのバージョンとに基づいて、図１０（ｃ）に示すように、ＰＳコードと、シリアル番号と、プログラム（データ）と、電子マニュアルを、１回の送信手順により情報処理装置３１に送信する。これにより、プログラムと電子マニュアルは、情報処理装置３１に同時に受信されることとなる。
【００９０】
なお、情報処理装置３１には、情報処理装置３１から受信したダウンロード要求に含まれる国名に基づいて、対応する地域のプログラムが送信される。また、情報処理装置３１には、情報処理装置３１から受信したダウンロード要求に含まれる言語に基づいて、対応する言語の取扱説明書の電子マニュアルが送信される。
【００９１】
図８に戻り、情報処理装置３１のＣＰＵ３０１は、管理装置２からプログラムと電子マニュアル等を受信すると（Ｓ２２：ＹＥＳ）、受信したファイルのチェックを行う（Ｓ２３）。具体的には、まず、情報処理装置３１のＣＰＵ３０１が、受信したファイルから生成したＣＲＣコードを管理装置２に送信する。管理装置２のＣＰＵ２０１は、送信ファイルから生成したＣＲＣコードと、情報処理装置３１から受信したＣＲＣコードを比較することにより、ファイルの送信に異常があったか否かの判定を行い、判定結果を情報処理装置３１に送信する。
【００９２】
ＣＰＵ３０１は、管理装置２から受信した判定結果に基づいて、ダウンロードファイルに異常なしと判定すると（Ｓ２４：ＹＥＳ）、待機バージョンの項目に、受信したファイル等を記憶する（Ｓ２５）。他方、ダウンロードファイルに異常ありと判定されると（Ｓ２４：ＮＯ）、処理がＳ１８に戻され、ＣＰＵ３０１は、正常なファイルを受信するまで、Ｓ１９〜Ｓ２４の処理を繰り返す。こうして、正常なファイルが受信されると、処理がＳ２６に進められ、情報処理装置３１がシャットダウンされるまで、測定等の処理が継続
される（Ｓ２６）。
【００９３】
このように、情報処理装置３１による更新処理が行われると、情報処理装置３１の電源投入時に、分析装置情報が図７（ａ）のような状態であると、自動ダウンロードが自動に設定されている場合、管理装置２から新しいバージョンのプログラムと電子マニュアルが送信され、分析装置情報が図７（ｂ）のような状態となる。この後、情報処理装置３１がシャットダウンされ、再び起動されると、分析装置情報が図７（ｂ）のような状態であるため、図９（ａ）の画面にてユーザから更新指示を受けることで、待機バージョンの項目のプログラム等が実行バージョンの項目に上書きされる。これにより、分析装置情報は、図１０（ｄ）のような状態となり、新しいバージョンのプログラムと電子マニュアルが使用可能となる。
【００９４】
以上、本実施の形態によれば、新しいバージョンのプログラムが情報処理装置３１に送信される場合に、このプログラムに対応した電子マニュアルが併せて送信される。これにより、別途、バージョンアップ後のプログラムに対応した取扱説明書を、サービスマンが検体分析装置３（情報処理装置３１）の設置場所まで持参する必要がなくなる。このため、サービスマンの負担を軽減することが可能となる。
【００９５】
また、本実施の形態によれば、待機バージョンの項目のプログラムと電子マニュアルが実行バージョンの項目に上書きされる前に、実行バージョンの項目のプログラムと電子マニュアルが、格納情報の格納バージョンの項目に追加（バックアップ）される。これにより、実行バージョンの項目のプログラムの使用中に不具合が発生した場合でも、古いバージョンのプログラムと電子マニュアルを、再度実行バージョンとして用いることが容易となる。
【００９６】
また、本実施の形態によれば、検体分析装置３（情報処理装置３１）の電源が投入されたときに、待機バージョンの項目にあるプログラムと電子マニュアルが、実行バージョンの項目に上書きされ、この後で、情報処理装置３１の各プログラムが実行される。これにより、新しいバージョンのプログラムにより分析装置３２〜３４を制御することができる。また、検体分析装置３（情報処理装置３１）の電源投入時以外には、待機バージョンの項目にあるプログラムと電子マニュアルは、実行バージョンの項目に上書きされないため、たとえば、分析装置３２〜３４の分析動作の途中で、実行バージョンの項目のプログラムが変更されることにより、分析条件等が変更されることを防止することができる。
【００９７】
また、本実施の形態によれば、設定情報のダウンロード設定の項目を設定することにより、新しいバージョンのプログラム等を自動的に取得するか否かを設定することができる。また、新しいバージョンのプログラム等を自動的に取得するように設定が行われても、図９（ａ）に示す画面にて、新しいバージョンのプログラム等を使用するか否かが、ユーザに確認される。これにより、ユーザが意図しないタイミングで、新しいバージョンのプログラム等が実行バージョンに上書きされることがないため、ユーザは、使い慣れたバージョンのプログラムの使用を継続することが可能となる。
【００９８】
また、本実施の形態によれば、電子マニュアルがコンピュータプログラムの一部に組み込まれて情報処理装置３１に送信されるのではなく、電子マニュアルがコンピュータプログラムとは別のデータファイルとして情報処理装置３１に送信される。そのため、たとえば電子マニュアルの一部を改訂したい場合には、電子マニュアルが組み込まれたコンピュータプログラム自体を修正するといった手間を要することなく、電子マニュアルだけを改訂して再度情報処理装置３１に送信することができる。
【００９９】
また、仮に電子マニュアルがコンピュータプログラムの一部に組み込まれている場合に
、たとえば検体分析装置３にエラーが生じると、そのエラーが原因でコンピュータプログラムが良好に稼働せず、電子マニュアルを表示部３２０に表示させることができない惧れがある。しかしながら、本実施の形態では、電子マニュアルとコンピュータプログラムとが別のファイルとして存在するため、コンピュータプログラムが良好に稼働していない場合であってもユーザは電子マニュアルを参照することが可能である。
【０１００】
また、本実施の形態では、電子マニュアルをプリントアウトすることによって冊子形式の取扱説明書を容易に作成することができるため、検体分析装置３に生じたエラーが原因で表示部３２０に電子マニュアルを表示させることができない場合であっても、ユーザは冊子形式の取扱説明書を参照しながらエラーに対処することが可能となる。また、表示部３２０から遠く離れた位置にある分析装置を、取扱説明書を参照しながら操作することも可能となる。
【０１０１】
以上、本発明の実施の形態について説明したが、本発明は、上記実施の形態に何ら制限されるものではない。また、本発明の実施の形態も、上記以外に種々の変更が可能である。
【０１０２】
たとえば、上記実施の形態では、測定対象として血液を例示したが、尿についても測定対象とされ得る。すなわち、尿を検査する検体処理システムにも本発明を適用することができ、さらに、他の臨床検体を検査する臨床検体処理システムに本発明を適用することもできる。
【０１０３】
また、上記実施の形態では、プログラムと電子マニュアルが、管理装置２による１回の送信手順により、管理装置２から情報処理装置３１に送信され、これらプログラムと電子マニュアルが、情報処理装置３１により同時に受信された。しかしながら、これに限らず、プログラムと電子マニュアルが、管理装置２による２回以上の送信手順により、管理装置２から情報処理装置３１に別々に送信され、これらプログラムと電子マニュアルが、情報処理装置３１により別々のタイミングで受信されるようにしても良い。たとえば、情報処理装置３１により受信したプログラムに異常なしと判定された後に、情報処理装置３１により電子マニュアルが受信されるようにしても良い。また、情報処理装置３１により受信した電子マニュアルに異常なしと判定した後に、情報処理装置３１によりプログラムが受信されるようにしても良い。
【０１０４】
また、上記実施の形態では、プログラムと電子マニュアルが、管理装置２から、１つのファイルとして送信されるようにしても良い。この場合、たとえば、図１０（ｃ）に示す送信内容が、１つのファイルにまとめられた形で送信される。また、プログラムと電子マニュアルが、管理装置２から、別々のファイルとして送信されるようにしても良い。この場合、たとえば、図１０（ｃ）に示す送信内容が、管理装置２による１回の送信手順に含まれるようにして送信される。
【０１０５】
また、上記実施の形態では、情報処理装置３１により、プログラムと電子マニュアルが受信されたが、これに限らず、情報処理装置３１とは別の検体分析装置３内の別のダウンロード端末により、プログラムと電子マニュアルが受信されるようにしても良い。また、プログラムを受信する端末と、電子マニュアルを受信する端末とが、異なるようにしても良い。
【０１０６】
また、上記実施の形態では、情報処理装置３１から管理装置２に更新バージョンの検索依頼が送信され、管理装置２で更新バージョンの検索が行われたが、これに限らず、更新バージョンの検索は、情報処理装置３１によって行われるようにしても良い。この場合、管理装置２に記憶されている各ＰＳコードの種類における全てのバージョンが、情報処理
装置３１に送信され、この送信内容に基づいて情報処理装置３１で新しいバージョンの検索が行われるようにしても良い。また、管理装置２に記憶されている各ＰＳコードの種類の全てのバージョンのプログラムが、情報処理装置３１に送信され、情報処理装置３１での比較処理の結果、新しいバージョンのプログラムが存在すると情報処理装置３１が判断した場合に、そのプログラムを情報処理装置３１上で実行可能な状態とし、他のプログラムを破棄する構成であってもよい。
【０１０７】
また、上記実施の形態では、ＰＤＦ形式の電子マニュアルが管理装置２から情報処理装置３１に送信されているが、ＰＤＦ形式に限らず、ＷＯＲＤ形式、ＥＸＣＥＬ形式等で電子マニュアルが送信されてもよい。
【０１０８】
また、上記実施の形態では、情報処理装置３１の表示部３２０に表示された電子マニュアルをユーザがスクロールすることにより、表示される箇所を変更することが可能であるが、本発明はこれに限らない。たとえば、トラブル発生時に表示されるヘルプ画面において、ユーザにより、このヘルプ画面に配される表示指示ボタンが押下されると、情報処理装置３１に格納されている電子マニュアルのうち、このトラブルの対処方法について記述された箇所のみが、情報処理装置３１の表示部３２０に表示されるようにしても良い。すなわち、本発明では、電子マニュアルに記述された情報のうち、トラブル等に対する対応方法を示す部分が、何らかの形でユーザに提示されるもので有れば良い。
【０１０９】
また、上記実施の形態では、情報処理装置３１は、実行バージョンと待機バージョンのバージョンを検索依頼に含めたが、これに限らず、さらに格納バージョンのバージョンを検索依頼に含めるようにしても良い。これにより、管理装置２は、情報処理装置３１が記憶している全てのバージョンを把握することができるため、効率的にプログラム等を送信することが可能となる。
【０１１０】
また、上記実施の形態では、図８のＳ１３で待機バージョンありと判定されると、図９（ａ）の使用指示画面５２０が表示され、待機バージョンのプログラムを使用可能状態にするか否かは、ＯＫボタン５２１とキャンセルボタン５２２により決定された。しかしながら、これに限らず、待機バージョンありと判定されると、自動的に待機バージョンのプログラムを使用可能状態としても良い。この場合、待機バージョンのプログラムが自動的に使用可能状態とされるか否かが、ユーザにより、あらかじめ情報処理装置３１に設定可能となるよう、情報処理装置３１が構成される。
【０１１１】
また、上記実施の形態では、図８のＳ１５で待機バージョンのプログラムを使用可能状態にする際には、実行バージョンのプログラム等が、図９（ｂ）に示すような格納情報に追加された。しかしながら、これに限らず、情報処理装置３１に保存されている一切の情報（設定情報、分析装置情報、測定データなどを含む）がバックアップされるようにしても良い。
【０１１２】
図１２（ａ）は、情報処理装置３１によるバックアップ処理を示すフローチャートである。図１２（ａ）に示すＳ２７は、図８のＳ１４とＳ１５の間に挿入される。
【０１１３】
情報処理装置３１のＣＰＵ３０１は、ユーザにより待機バージョンの使用する指示がなされると（Ｓ１４：ＹＥＳ）、ハードディスク３０４内の全ての情報を、ハードディスク３０４内の所定の場所にバックアップする（Ｓ２７）。これにより、たとえば、待機バージョンの項目のプログラムが、実行バージョンに上書きされる際に不具合が発生した場合でも、ハードディスク３０４内のバックアップした情報に基づいて、情報処理装置３１を、バックアップ時の状態に戻すことができる。
【０１１４】
なお、Ｓ２７では、ハードディスク３０４内の情報が、ハードディスク３０４内にバックアップされたが、これに限らず、記録媒体に保存されるようにしても良い。この場合、図１２（ａ）のＳ２７の替わりに、図１２（ｂ）に示すように、Ｓ２８、Ｓ２９が挿入される。
【０１１５】
図１２（ｂ）を参照して、情報処理装置３１のＣＰＵ３０１は、まず、図１２（ｃ）に示すような記録媒体確認画面５３０を表示する（Ｓ２８）。続いて、ＣＰＵ３０１は、ユーザによりＲ／Ｗ装置３０５（図３参照）に記憶媒体がセットされ、ユーザによりＯＫボタン５３１が押下されたかを判定する（Ｓ２９）。記録媒体がセットされ、ＯＫボタン５３１が押下されていると（Ｓ２９：ＹＥＳ）、ＣＰＵ３０１は、ハードディスク３０４内の全ての情報を、Ｒ／Ｗ装置３０５にセットされた記憶媒体にバックアップする（Ｓ３０）。この場合も、記録媒体にバックアップした情報に基づいて、情報処理装置３１をバックアップ時の状態に戻すことができる。
【０１１６】
また、上記実施の形態では、図６（ａ）に示すダウンロード対象の項目は、“プログラム”と“取扱説明書”に固定されたが、これに限らず、他のファイルを含むようにしても良い。また、ダウンロード対象の項目は、ユーザにより適宜設定できるようにしても良い。
【０１１７】
また、上記実施の形態では、情報処理装置３１でユーザが用いる言語が、情報処理装置３１内のハードディスク３０４（設定情報）に記憶されたが、これに限らず、管理装置２のハードディスク３０４に、あらかじめ記憶されるようにしても良い。
【０１１８】
この他、本発明の実施の形態は、特許請求の範囲に示された技術的思想の範囲内において、適宜、種々の変更が可能である。
【符号の説明】
【０１１９】
１  …  検体分析システム
２  …  管理装置
３  …  検体分析装置
４  …  ネットワーク
２０１  …  ＣＰＵ
２０４  …  ハードディスク
２０８  …  通信インターフェース
３０１  …  ＣＰＵ
３０４  …  ハードディスク
３０８  …  通信インターフェース
【図１】
0005641843.tif 000002
【図２】
0005641843.tif 000003
【図３】
0005641843.tif 000004
【図４】
0005641843.tif 000005
【図５】
0005641843.tif 000006
【図６】
0005641843.tif 000007
【図７】
0005641843.tif 000008
【図８】
0005641843.tif 000009
【図９】
0005641843.tif 000010
【図１０】
0005641843.tif 000011
【図１１】
0005641843.tif 000012
【図１２】
0005641843.tif 000013